(57)【要約】【課題】店舗内に配設された各レジでの釣り銭不足並びに釣り銭用貨幣の補充所要時間、補充誤りおよび両替誤りを低減し、もって精算処理効率を高めること。【解決手段】資金管理システム１において、管理装置１０は、レジスタ２０に収納された貨幣の在高を取得する売場資金在高取得部１４ａと、各レジスタ２０ごとの釣り銭用貨幣の収支の履歴を記憶する売場資金履歴テーブル１３ｂと、レジスタ２０の貨幣の収支の履歴をもとに、各レジスタ２０において所定時間（顧客が集中する繁忙時間帯や、通常の客入である平常時間帯）ごとに必要な釣り銭用貨幣の在高を予測する売場資金予測部１４ｂと、レジスタ２０内の貨幣の在高が必要な釣り銭用貨幣の在高に満たない場合に、当該レジスタ２０に対して補充又は両替を要する旨を報知するように制御する報知制御部１４ｃとを備える。【選択図】        図１
2005267262.tif 000002
【特許請求の範囲】
【請求項１】
商品の精算処理をおこなうレジに配設されたレジスタと、該レジスタ内に収納された貨幣の在高を管理する管理装置とを備えた資金管理システムであって、
前記管理装置は、
前記レジスタ内に収納された貨幣の在高を取得するレジスタ内在高取得手段と、
前記レジスタの貨幣の収支の履歴を記憶する履歴記憶手段と、
前記履歴記憶手段によって記憶されたレジスタの貨幣の収支の履歴をもとに、各レジスタにおいて所定時間ごとに必要な釣り銭用貨幣の在高を予測する予測手段と、
前記レジスタ内在高取得手段によって取得されたレジスタ内の貨幣の在高が前記予測手段によって予測された必要な釣り銭用貨幣の在高に満たない場合に、当該レジスタに対して補充又は両替を要する旨を報知するように制御する報知制御手段と
を備えたことを特徴とする資金管理システム。
【請求項２】
各レジスタで釣り銭用貨幣が不足する場合に貨幣の両替または補充をおこなう両替補充機をさらに備え、
前記管理装置は、
前記予測手段は、前記レジスタ内在高取得手段によって取得されたレジスタ内の貨幣の在高と、該レジスタにおいて必要な釣り銭用貨幣の在高とをもとに、当該レジスタに補充されるべき補充用貨幣の貨幣種別および貨幣枚数を予測し、
前記予測手段によって予測された当該レジスタに補充されるべき補充用貨幣の貨幣種別および貨幣枚数と、該レジスタの識別情報とを含む補充依頼情報を前記両替補充機に通知する補充依頼通知手段をさらに備え、
前記両替補充機は、
前記補充依頼通知手段によって通知されたレジスタの識別情報と一致するレジスタの識別情報を所定の操作者から受け付けた場合に、前記補充依頼情報に基づいて補充用貨幣を投出するように制御する投出制御手段を備えたことを特徴とする請求項１に記載の資金管理システム。
【請求項３】
前記管理装置は、
前記レジスタ内在高取得手段は、各レジスタ内に収納された貨幣の在高を取得し、
前記予測手段は、前記レジスタ内在高取得手段によって取得された各レジスタ内の貨幣の在高と、各レジスタにおいて必要な釣り銭用貨幣の在高とをもとに、各レジスタで回収されるべき回収用貨幣の貨幣種別および貨幣枚数を予測し、
前記報知制御手段は、前記予測手段によって予測された回収用貨幣の貨幣種別および貨幣枚数を各レジスタに報知するように制御することを特徴とする請求項１または２に記載の資金管理システム。
【請求項４】
各レジスタでの回収用貨幣の入金を受け付ける売上金入金機をさらに備え、
前記管理装置は、
前記予測手段によって予測された各レジスタで回収されるべき回収用貨幣の貨幣種別および貨幣枚数と、各レジスタの識別情報とを含む回収依頼情報を前記売上金入金機に通知する回収依頼通知手段をさらに備え、
前記売上金入金機は、
前記回収依頼通知手段によって通知されたレジスタの識別情報と一致するレジスタの識別情報を所定の操作者から受け付けた場合に、前記回収依頼情報に基づいて回収用貨幣の入金を受け付ける入金受付手段をさらに備えたことを特徴とする請求項３に記載の資金管理システム。
【請求項５】
前記両替補充機および前記売上金入金機を一体型の現金処理機で構成することを特徴とする請求項３または４に記載の資金管理システム。
【請求項６】
前記管理装置は、
前記レジスタ、前記両替補充機、前記売上金入金機および金庫に収納された貨幣の在高を管理する管理手段をさらに備え、
前記予測手段は、前記履歴記憶手段によって記憶されたレジスタの貨幣の収支の履歴をもとに、前記レジスタ、前記両替補充機、前記売上金入金機および金庫において所定時間ごとに必要な釣り銭用貨幣の在高を予測し、
前記報知制御手段は、前記管理手段によって管理された前記レジスタ、前記両替補充機、前記売上金入金機および金庫に収納された貨幣の在高が前記予測手段によって予測された必要な釣り銭用貨幣の在高に満たない場合に、外部調達すべき旨を報知するように制御することを特徴とする請求項１〜５のいずれか一つに記載の資金管理システム。
【請求項７】
前記管理手段によって管理された前記レジスタ、前記両替補充機、前記売上金入金機および金庫に収納された貨幣の在高に基づいて日報を作成する日報作成手段をさらに備えたことを特徴とする請求項６に記載の資金管理システム。
【請求項８】
商品の精算処理をおこなうレジに配設されたレジスタと、該レジスタ内に収納された貨幣の在高を管理する管理装置とを備えた資金管理方法であって、
前記レジスタ内に収納された貨幣の在高を取得するレジスタ内在高取得工程と、
前記レジスタの貨幣の収支の履歴を記憶する履歴記憶工程と、
前記履歴記憶工程によって記憶されたレジスタの貨幣の収支の履歴をもとに、各レジスタにおいて所定時間ごとに必要な釣り銭用貨幣の在高を予測する予測工程と、
前記レジスタ内在高取得工程によって取得されたレジスタ内の貨幣の在高が前記予測工程によって予測された必要な釣り銭用貨幣の在高に満たない場合に、当該レジスタに対して補充を要する旨を報知するように制御する報知制御工程と
を含んだことを特徴とする資金管理方法。
【請求項９】
商品の精算処理をおこなうレジに配設されたレジスタと、該レジスタ内に収納された貨幣の在高を管理する管理装置とを備えた資金管理プログラムであって、
前記レジスタ内に収納された貨幣の在高を取得するレジスタ内在高取得手順と、
前記レジスタの貨幣の収支の履歴を記憶する履歴記憶手順と、
前記履歴記憶手順によって記憶されたレジスタの貨幣の収支の履歴をもとに、各レジスタにおいて所定時間ごとに必要な釣り銭用貨幣の在高を予測する予測手順と、
前記レジスタ内在高取得手順によって取得されたレジスタ内の貨幣の在高が前記予測工程によって予測された必要な釣り銭用貨幣の在高に満たない場合に、当該レジスタに対して補充を要する旨を報知するように制御する報知制御手順と
をコンピュータに実行させることを特徴とする資金管理プログラム。
【発明の詳細な説明】
【技術分野】
【０００１】
本発明は、資金管理システム、資金管理方法および資金管理プログラムに関し、特に、店舗内に配設された各レジでの釣り銭不足並びに釣り銭用貨幣の補充所要時間、補充誤りおよび両替誤りを低減し、もって精算処理効率を高めることができる資金管理システム、資金管理方法および資金管理プログラムに関する。
【背景技術】
【０００２】
従来、スーパーマーケットなどの店舗では、各顧客が購入する商品を複数のレジにて順次精算するのが一般的であるので、各レジでの精算処理を迅速かつ効率的におこなうことが重要となっている。たとえば、レジに配設されたレジスタ（釣り銭機）内の釣り銭用貨幣が不足すると、レジ係員は釣り銭用貨幣の補充をおこなわねばならなくなるため、その期間精算処理が遅延してしまう。
【０００３】
このため、釣り銭用貨幣が不足する事態を未然に防止する資金管理システムが知られている。たとえば、特許文献１には、店舗内に配設された各レジスタ内の釣り銭用貨幣の状況をリアルタイムで管理するとともに、釣り銭用貨幣が不足する前に釣り銭用貨幣の補充をレジ係員に報知するよう構成した資金管理システムが開示されている。
【０００４】
【特許文献１】特許第３４３４９０８号公報
【発明の開示】
【発明が解決しようとする課題】
【０００５】
しかしながら、この特許文献１によれば、各レジに配設されたレジスタ内の釣り銭用貨幣のリアルタイムな現状しか監視していないので、その後の顧客の状況によっては釣り銭用貨幣が不足してしまい、結果的に釣り銭用貨幣の補充が余儀なくされ、精算処理の遅延を招いてしまうという問題がある。
【０００６】
特に、スーパーマーケットなどの店舗では、顧客が集中する繁忙期の時間帯と顧客の少ない時間帯とが存在するので、これらの動向を踏まえた適切な対応をしなければならないが、上記特許文献１のものは単に現状値と所定の基準値とを比較したものにすぎないので、これらの繁忙期に適切に対処することができないおそれがある。
【０００７】
また、複数のレジが店舗内に設けられている場合に、駐車場などに近い特定のレジ（繁忙レジ）に顧客が集中し、他のレジが空き状態にあるようなケースも多いため、上記特許文献１のように各レジを同等に取り扱うこととしたのでは、やはり繁忙レジのレジスタ内の釣り銭用貨幣が不足するおそれがある。
【０００８】
さらに、たとえ店舗内に配設された両替補充機や置金庫内の貨幣を釣り銭用貨幣として利用したとしても特定金種の釣り銭が不足するような場合には、店舗外部の銀行などからその金種の釣り銭を取得しなければならないが、上記特許文献１によれば、単に各レジスタの現状のみを監視しているだけなので、このようなケースに対応することができない。
【０００９】
また、各レジのレジ係員は、レジスタ内の釣り銭用貨幣が不足した場合に店舗内に配設された両替補充機から釣り銭用貨幣を取得する必要が生ずるが、上記特許文献１によれば、かかる釣り銭用貨幣の取得効率を高めることができないので、結果的に精算処理効率が低下してしまうという問題もある。
【００１０】
これらのことから、店舗内に配設された各レジで釣り銭不足が生ずる事態をいかにして防止するか、釣り銭用貨幣を補充する際に生ずる精算処理の停止時間をいかに低減するかが極めて重要な課題となっている。
【００１１】
本発明は、上記従来技術の課題（問題点）を解消するためになされたものであって、店舗内に配設された各レジでの釣り銭不足並びに釣り銭用貨幣の補充所要時間、補充誤りおよび両替誤りを低減し、もって精算処理効率を高めることができる資金管理システム、資金管理方法および資金管理プログラムを提供することを目的とする。
【課題を解決するための手段】
【００１２】
上述した課題を解決し、目的を達成するために、請求項１の発明に係る資金管理システムは、商品の精算処理をおこなうレジに配設されたレジスタと、該レジスタ内に収納された貨幣の在高を管理する管理装置とを備えた資金管理システムであって、前記管理装置は、前記レジスタ内に収納された貨幣の在高を取得するレジスタ内在高取得手段と、前記レジスタの貨幣の収支の履歴を記憶する履歴記憶手段と、前記履歴記憶手段によって記憶されたレジスタの貨幣の収支の履歴をもとに、各レジスタにおいて所定時間ごとに必要な釣り銭用貨幣の在高を予測する予測手段と、前記レジスタ内在高取得手段によって取得されたレジスタ内の貨幣の在高が前記予測手段によって予測された必要な釣り銭用貨幣の在高に満たない場合に、当該レジスタに対して補充又は両替を要する旨を報知するように制御する報知制御手段とを備えたことを特徴とする。
【００１３】
また、請求項２の発明に係る資金管理システムは、請求項１の発明において、各レジスタで釣り銭用貨幣が不足する場合に貨幣の両替または補充をおこなう両替補充機をさらに備え、前記管理装置は、前記予測手段は、前記レジスタ内在高取得手段によって取得されたレジスタ内の貨幣の在高と、該レジスタにおいて必要な釣り銭用貨幣の在高とをもとに、当該レジスタに補充されるべき補充用貨幣の貨幣種別および貨幣枚数を予測し、前記予測手段によって予測された当該レジスタに補充されるべき補充用貨幣の貨幣種別および貨幣枚数と、該レジスタの識別情報とを含む補充依頼情報を前記両替補充機に通知する補充依頼通知手段をさらに備え、前記両替補充機は、前記補充依頼通知手段によって通知されたレジスタの識別情報と一致するレジスタの識別情報を所定の操作者から受け付けた場合に、前記補充依頼情報に基づいて補充用貨幣を投出するように制御する投出制御手段を備えたことを特徴とする。
【００１４】
また、請求項３の発明に係る資金管理システムは、請求項１または２の発明において、前記管理装置は、前記レジスタ内在高取得手段は、各レジスタ内に収納された貨幣の在高を取得し、前記予測手段は、前記レジスタ内在高取得手段によって取得された各レジスタ内の貨幣の在高と、各レジスタにおいて必要な釣り銭用貨幣の在高とをもとに、各レジスタで回収されるべき回収用貨幣の貨幣種別および貨幣枚数を予測し、前記報知制御手段は、前記予測手段によって予測された回収用貨幣の貨幣種別および貨幣枚数を各レジスタに報知するように制御することを特徴とする。
【００１５】
また、請求項４の発明に係る資金管理システムは、請求項３の発明において、各レジスタでの回収用貨幣の入金を受け付ける売上金入金機をさらに備え、前記管理装置は、前記予測手段によって予測された各レジスタで回収されるべき回収用貨幣の貨幣種別および貨幣枚数と、各レジスタの識別情報とを含む回収依頼情報を前記売上金入金機に通知する回収依頼通知手段をさらに備え、前記売上金入金機は、前記回収依頼通知手段によって通知されたレジスタの識別情報と一致するレジスタの識別情報を所定の操作者から受け付けた場合に、前記回収依頼情報に基づいて回収用貨幣の入金を受け付ける入金受付手段をさらに備えたことを特徴とする。
【００１６】
また、請求項５の発明に係る資金管理システムは、請求項３または４の発明において、前記両替補充機および前記売上金入金機を一体型の現金処理機で構成することを特徴とする。
【００１７】
また、請求項６の発明に係る資金管理システムは、請求項１〜５のいずれか一つの発明において、前記管理装置は、前記レジスタ、前記両替補充機、前記売上金入金機および金庫に収納された貨幣の在高を管理する管理手段をさらに備え、前記予測手段は、前記履歴記憶手段によって記憶されたレジスタの貨幣の収支の履歴をもとに、前記レジスタ、前記両替補充機、前記売上金入金機および金庫において所定時間ごとに必要な釣り銭用貨幣の在高を予測し、前記報知制御手段は、前記管理手段によって管理された前記レジスタ、前記両替補充機、前記売上金入金機および金庫に収納された貨幣の在高が前記予測手段によって予測された必要な釣り銭用貨幣の在高に満たない場合に、外部調達すべき旨を報知するように制御することを特徴とする。
【００１８】
また、請求項７の発明に係る資金管理システムは、請求項６の発明において、前記管理手段によって管理された前記レジスタ、前記両替補充機、前記売上金入金機および金庫に収納された貨幣の在高に基づいて日報を作成する日報作成手段をさらに備えたことを特徴とする。
【００１９】
また、請求項８の発明に係る資金管理方法は、商品の精算処理をおこなうレジに配設されたレジスタと、該レジスタ内に収納された貨幣の在高を管理する管理装置とを備えた資金管理方法であって、前記レジスタ内に収納された貨幣の在高を取得するレジスタ内在高取得工程と、前記レジスタの貨幣の収支の履歴を記憶する履歴記憶工程と、前記履歴記憶工程によって記憶されたレジスタの貨幣の収支の履歴をもとに、各レジスタにおいて所定時間ごとに必要な釣り銭用貨幣の在高を予測する予測工程と、前記レジスタ内在高取得工程によって取得されたレジスタ内の貨幣の在高が前記予測工程によって予測された必要な釣り銭用貨幣の在高に満たない場合に、当該レジスタに対して補充を要する旨を報知するように制御する報知制御工程とを含んだことを特徴とする。
【００２０】
また、請求項９の発明に係る資金管理プログラムは、商品の精算処理をおこなうレジに配設されたレジスタと、該レジスタ内に収納された貨幣の在高を管理する管理装置とを備えた資金管理プログラムであって、前記レジスタ内に収納された貨幣の在高を取得するレジスタ内在高取得手順と、前記レジスタの貨幣の収支の履歴を記憶する履歴記憶手順と、前記履歴記憶手順によって記憶されたレジスタの貨幣の収支の履歴をもとに、各レジスタにおいて所定時間ごとに必要な釣り銭用貨幣の在高を予測する予測手順と、前記レジスタ内在高取得手順によって取得されたレジスタ内の貨幣の在高が前記予測工程によって予測された必要な釣り銭用貨幣の在高に満たない場合に、当該レジスタに対して補充を要する旨を報知するように制御する報知制御手順とをコンピュータに実行させることを特徴とする。
【発明の効果】
【００２１】
本発明によれば、レジスタ内に収納された貨幣の在高を取得し、レジスタの貨幣の収支の履歴を記憶し、レジスタの貨幣の収支の履歴をもとに、各レジスタにおいて所定時間ごとに必要な釣り銭用貨幣の在高を予測し、レジスタ内の貨幣の在高が必要な釣り銭用貨幣の在高に満たない場合に、当該レジスタに対して補充又は両替を要する旨を報知するように制御することとしたので、店舗内に配設された各レジでの釣り銭不足を低減し、もって精算処理効率を高めることが可能な資金管理システムが得られるという効果を奏する。
【００２２】
また、本発明によれば、レジスタ内の貨幣の在高と、該レジスタにおいて必要な釣り銭用貨幣の在高とをもとに、当該レジスタに補充されるべき補充用貨幣の貨幣種別および貨幣枚数を予測し、当該レジスタに補充されるべき補充用貨幣の貨幣種別および貨幣枚数と、該レジスタの識別情報とを含む補充依頼情報を両替補充機に通知し、通知されたレジスタの識別情報と一致するレジスタの識別情報を所定の操作者から受け付けた場合に、補充依頼情報に基づいて補充用貨幣を投出するように制御することとしたので、釣り銭用貨幣の補充所要時間、補充誤りおよび両替誤りを低減し、もって精算処理効率を高めることが可能な資金管理システムが得られるという効果を奏する。
【００２３】
また、本発明によれば、各レジスタ内に収納された貨幣の在高を取得し、各レジスタ内の貨幣の在高と、各レジスタにおいて必要な釣り銭用貨幣の在高とをもとに、各レジスタで回収されるべき回収用貨幣の貨幣種別および貨幣枚数を予測し、予測された回収用貨幣の貨幣種別および貨幣枚数を各レジスタに報知するように制御することとしたので、「運用資金」として多量の貨幣をレジスタ内に収納する必要がなくなり、店舗全体の資金の運用効率を向上させることが可能な資金管理システムが得られるという効果を奏する。さらに、これに関連して、各レジスタごとに「運用資金」を予測し、任意時点での「売上金」を早期に確定することで、銀行などの外部機関への入金を迅速かつ効率的におこなうことができ、また、閉店後の労働集約的な作業をなくし、業務効率を向上させることが可能になる。
【００２４】
また、本発明によれば、各レジスタで回収されるべき回収用貨幣の貨幣種別および貨幣枚数と、各レジスタの識別情報とを含む回収依頼情報を売上金入金機に通知し、通知されたレジスタの識別情報と一致するレジスタの識別情報を所定の操作者から受け付けた場合に、回収依頼情報に基づいて回収用貨幣の入金を受け付けることとしたので、回収用貨幣の入金効率を高めることが可能な資金管理システムが得られるという効果を奏する。
【００２５】
また、本発明によれば、前記両替補充機および前記売上金入金機を一体型の現金処理機で構成することとしたので、店舗スペースの効率化と、入金貨幣を両替または補充用の貨幣として循環利用することによる資金運用の効率化を図りつつ、両替または補充、並びに回収を一箇所で集約しておこなうことが可能な資金管理システムが得られるという効果を奏する。
【００２６】
また、本発明によれば、レジスタ、両替補充機、売上金入金機および金庫に収納された貨幣の在高を管理し、レジスタの貨幣の収支の履歴をもとに、レジスタ、両替補充機、売上金入金機および金庫において所定時間ごとに必要な釣り銭用貨幣の在高を予測し、レジスタ、両替補充機、売上金入金機および金庫に収納された貨幣の在高が必要な釣り銭用貨幣の在高に満たない場合に、外部調達すべき旨を報知するように制御することとしたので、店舗内に配設された両替補充機や置金庫内の貨幣を釣り銭用貨幣として利用したとしても、特定金種の釣り銭が不足してしまうという最悪の事態を未然に防止することが可能な資金管理システムが得られるという効果を奏する。
【００２７】
また、本発明によれば、レジスタ、両替補充機、売上金入金機および金庫に収納された貨幣の在高に基づいて日報を作成することとしたので、各レジごとの貨幣（現金）の流れを明瞭に把握した店舗全体の「日報」を作成することが可能な資金管理システムが得られるという効果を奏する。
【００２８】
また、本発明によれば、レジスタ内に収納された貨幣の在高を取得し、レジスタの貨幣の収支の履歴を記憶し、レジスタの貨幣の収支の履歴をもとに、各レジスタにおいて所定時間ごとに必要な釣り銭用貨幣の在高を予測し、レジスタ内の貨幣の在高が必要な釣り銭用貨幣の在高に満たない場合に、当該レジスタに対して補充を要する旨を報知するように制御することとしたので、店舗内に配設された各レジでの釣り銭不足を低減し、もって精算処理効率を高めることが可能な資金管理方法が得られるという効果を奏する。
【００２９】
また、本発明によれば、レジスタ内に収納された貨幣の在高を取得し、レジスタの貨幣の収支の履歴を記憶し、レジスタの貨幣の収支の履歴をもとに、各レジスタにおいて所定時間ごとに必要な釣り銭用貨幣の在高を予測し、レジスタ内の貨幣の在高が必要な釣り銭用貨幣の在高に満たない場合に、当該レジスタに対して補充を要する旨を報知するように制御することとしたので、店舗内に配設された各レジでの釣り銭不足を低減し、もって精算処理効率を高めることが可能な資金管理プログラムが得られるという効果を奏する。
【発明を実施するための最良の形態】
【００３０】
以下に添付図面を参照して、スーパーマーケットなどの流通店舗に対して本発明に係る資金管理システム、資金管理方法および資金管理プログラムを適用した場合の好適な実施例を説明する。なお、以下では、本実施例で用いる主要な用語を最初に説明してから、本発明に係る資金管理システムの概要および特徴を説明し、その後、本実施例１に係る資金管理システム（資金管理方法）について説明し、最後に、他の実施例として種々の変形例（実施例２）を説明することとする。
【００３１】
（用語の説明）
以下に、本実施例で用いる主要な用語を簡単に説明する。本実施例で用いる「平常日」とは、客入が比較的少ない平日などの「営業日」を指し、「繁忙日」とは、客入が多い土日や祝日などの「営業日」を指す。また、「平常時間帯」とは、一日の時間帯のなかで、客入が比較的少ない朝や昼などの「時間帯」（たとえば、本実施例では、開店から「１３：００」までの時間帯、および「１３：００」から「１６：００」までの時間帯とする。）を指し、「繁忙時間帯」とは、客入が多い夕方などの「時間帯」（「１６：００」から閉店までの時間帯とする。）を指す。
【００３２】
また、本実施例で用いる「運用資金」とは、開店時などにおいて客入が初期である状況のもとで店舗における釣り銭の支払いをおこなうために、各レジスタごとに用意された資金（釣り銭用貨幣）を示し、「売上金」とは、顧客による商品の販売によって得られた金額を示し、「総資金」は、「運用資金」および「売上金」の総和を示す。
【００３３】
（概要および特徴）
まず最初に、本発明に係る資金管理システムの概要および特徴について説明する。図１は、本実施例１に係る資金管理システムの概略構成を示す図である。この資金管理システム１は、大別して、商品の販売動向（売れ行き状況）を管理するＰＯＳシステムの機能と、釣り銭用貨幣（すなわち、店舗における「運用資金」）や売上金などの売場資金を管理する資金管理システムの機能とを有する。
【００３４】
このうち、ＰＯＳシステムの機能を果たす構成として、レジスタ２０−１〜２０−３（以下、適宜これらをレジスタ２０と言う。）と、ＰＯＳサーバ（ストア・コントローラ）６０とを備える。このＰＯＳシステムは、概略的に、レジ係員によるバーコードリーダ２１の操作によって入力されたバーコード情報（商品コード）をＰＯＳサーバ６０において統括し、この商品コードをもとに、どのような商品がどの程度売れたかという商品の販売動向（売れ行き状況）を管理するものである。なお、かかる「商品コード」は、店舗で販売している商品情報と予め対応付けて記憶されている。
【００３５】
また、本発明に係る資金管理システム１は、レジスタ２０と、両替補充機４０と、売上金入金機５０とが回線２を介して管理装置１０と接続された構成を有し、概略的に、レジスタ２０に収納されている貨幣（釣り銭用貨幣）の在高をリアルタイムで管理するとともに、置金庫３０の金庫資金を含む店舗全体の総資金を管理するものである。
【００３６】
ここで、かかる資金管理システム１において、管理装置１０は、レジスタ内に収納された貨幣の在高を取得し、レジスタの貨幣の収支の履歴を記憶し、レジスタの貨幣の収支の履歴をもとに、各レジスタにおいて所定時間ごとに必要な釣り銭用貨幣の在高を予測し、レジスタ内の貨幣の在高が必要な釣り銭用貨幣の在高に満たない場合に、当該レジスタに対して補充を要する旨を報知するように制御する点に主たる特徴があり、かかる一連の処理によって、店舗内に配設された各レジでの釣り銭不足を低減し、もって精算処理効率を高めることができるようにしている。
【００３７】
この主たる特徴を具体的に説明すると、管理装置１０は、レジスタ２０に収納されている貨幣の在高を商品の精算処理がおこなわれる度にリアルタイム（所定時間毎のバッチ処理でも可能）で取得し、また、レジスタ２０の貨幣の収支の履歴を記憶する。そして、このレジスタ２０の貨幣の収支の履歴をもとに、各レジスタ２０において所定時間（顧客が集中する繁忙時間帯や、通常の客入である平常時間帯）ごとに必要な釣り銭用貨幣の在高を予測する。
【００３８】
このように、所定時間ごとに必要な釣り銭用貨幣の在高を予測することで、顧客が集中する繁忙時間帯や、平常期時間帯によって変化する客入状況の動向を考慮に入れて必要な釣り銭用貨幣の在高を予測することができる。さらに、必要な釣り銭用貨幣の在高を各レジスタ２０ごとに予測することで、個々のレジごとの顧客利用頻度の格差を考慮に入れて必要な釣り銭用貨幣の在高を予測することができる。
【００３９】
そして、管理装置１０は、レジスタ２０に収納されている貨幣の在高が必要な釣り銭用貨幣の在高に満たない場合に、当該レジスタ２０に対して補充が必要である旨を報知する。このように、顧客が集中する繁忙時間帯や、平常時間帯によって変化する客入状況の動向、並びに個々のレジごとの顧客利用頻度の格差を考慮に入れて、レジスタ内の貨幣の在高が必要な釣り銭用貨幣の在高に満たないレジスタに対して報知をおこなうことにより、店舗内に配設された各レジでの釣り銭不足を低減することができる。
【００４０】
したがって、上記の従来技術のように、単に現状値と所定の基準値との比較に基づく報知をおこなうのではなく、繁忙時間帯や、平常時間帯によって変化する客入状況の動向を考慮に入れた報知をおこない、また、各レジを同等に取り扱って報知をおこなうのではなく、個々のレジごとの顧客利用頻度の格差に応じた報知をおこなうこととしたので、上記した主たる特徴のように、店舗内に配設された各レジでの釣り銭不足を低減し、もって精算処理効率を高めることが可能になる。
【実施例１】
【００４１】
次に、本実施例１では、レジスタの貨幣の収支の履歴をもとに、各レジスタにおいて所定時間ごとに必要な釣り銭用貨幣の在高を予測し、レジスタ内の貨幣の在高が必要な釣り銭用貨幣の在高に満たない場合に、当該レジスタに対して補充が必要である旨を報知するように制御する資金管理システムについて説明する。なお、ここでは、本実施例１に係る資金管理システムの構成を説明した後に、各種処理の手順を説明することとする。
【００４２】
（資金管理システムの構成）
本実施例１に係る資金管理システムの構成について説明する。図２は、本実施例１に係る資金管理システムの構成を示すブロック図である。同図に示すように、この資金管理システム１は、レジスタ２０と、両替補充機４０と、売上金入金機５０とが回線２を介して管理装置１０と接続された構成となる。
【００４３】
レジスタ２０は、商品の精算処理がおこなわれる度に、バーコード情報をＰＯＳサーバ６０にリアルタイムで送信するとともに、レジスタ内に収納された貨幣の在高を管理装置１０に送信するレジ釣り銭機であり、バーコードリーダ２１と、入力部２２と、表示部２３と、印字部２４と、制御部２５と、紙幣処理機２６と、硬貨処理機２７と、回線３を介してＰＯＳサーバ６０とデータの授受をおこなうＩ／Ｆ２８とを備える。
【００４４】
バーコードリーダ２１は、商品に付加されたバーコード情報を読み込んで制御部２４に入力する商品情報の入力手段であり、入力部２２は、レジ係員からの入力操作を受け付けるキーボード、マウスおよびトラックボールなどのインターフェースである。また、表示部２３は、商品の販売代金および商品の取引明細を表示する液晶パネルやディスプレイなどの表示デバイスであり、印字部２４は、商品取引に係る明細（レシート）を印字出力するプリンタなどの出力手段である。
【００４５】
制御部２５は、レジスタ２０の全体制御をおこなう処理部であり、機能概念的に、バーコード情報送信部２５ａと、レジスタ内在高送信部２５ｂと、精算処理部２５ｃとを備える。このうち、バーコード情報送信部２５ａは、精算処理部２５ｃによって商品の精算処理がおこなわれる度に、バーコード情報（商品コード）をＰＯＳサーバ６０にリアルタイムで送信する処理部であり、レジスタ内在高送信部２５ｂは、精算処理部２５ｃによって商品の精算処理がおこなわれる度に、レジスタ２０に収納された貨幣の在高を管理装置１０にリアルタイムで送信する処理部である。
【００４６】
精算処理部２５ｃは、レジ係員によるバーコードリーダ２１の操作によって入力されたバーコード情報を集計して販売代金を計算し、該計算された販売代金および顧客からの預り金をもとに、紙幣処理機２６および硬貨処理機２７に対して釣り銭支払い指示をおこなって商品の精算をおこなう処理部である。具体的には、顧客から預かった貨幣の金額をキー入力するか、あるいは紙幣処理機２６及び硬貨処理機２７に直接入金することによって預り金額を確定し、販売代金との差額から釣り銭額を算出し、その金額の最小構成枚数で出金できる支払い金種・枚数を計算し、該計算された支払い金種・枚数に基づいて紙幣処理機２６および硬貨処理機２７から釣り銭を投出するように制御する。なお、該当金種の枚数が不足している場合には、該当金種より小額の金種で対応するように構成されている。また、預り金額をキー入力して特定する場合は、釣り銭を支払った後に顧客から受け取った貨幣を紙幣処理機２６及び硬貨処理機２７に入金することによって売上金が全てレジスタ２０の中に入金されると共に、入金された貨幣が釣り銭として再利用されるようになっている。
【００４７】
管理装置１０は、レジスタ２０に収納されている貨幣の在高をリアルタイムで管理するとともに、置金庫３０の金庫資金を含む店舗全体の総資金を管理するコンピュータなどの情報処理端末であり、入力部１１と、表示部１２と、記憶部１３と、制御部１４と、回線２を介して、レジスタ２０、両替補充機４０、売上金入金機５０およびＰＯＳサーバ６０とのデータの授受をおこなうＩ／Ｆ１５とを備える。
【００４８】
このうち、入力部１１は、管理者からの入力操作を受け付ける指示入力手段であり、置金庫３０の資金（貨幣の在高）の入力、管理者権限による任意のタイミングでの補充指示または回収指示の入力などを受け付ける。また、表示部１２は、液晶パネルやディスプレイなどの出力表示手段であり、ＰＯＳサーバ（ストア・コントローラ）６０によって管理されている商品の販売動向（売れ行き状況）や、記憶部１３に記憶された売場資金に係る情報を管理者の指示に基づいて出力する。なお、ここで言う「管理者」とは、当該店舗を管理する管理者や当該店舗を含むチェーン店の管理者を指す。
【００４９】
記憶部１３は、制御部１４による各種処理に必要なデータおよびプログラムを格納する格納手段（記憶手段）である。機能概念的に、売場資金管理テーブル１３ａと、売場資金履歴テーブル１３ｂと、売場資金予測テーブル１３ｃとを備える。
【００５０】
このうち、売場資金管理テーブル１３ａは、店舗全体の「総資金」（「運用資金」および「売上金」）を管理するテーブルであり、具体的には、レジスタ２０に収納されている貨幣の在高、両替補充機４０の貨幣の在高、売上金入金機５０の貨幣の在高および置金庫３０の貨幣の在高を記憶している。
【００５１】
売場資金履歴テーブル１３ｂは、各レジスタ２０ごとの釣り銭用貨幣の収支の履歴を記憶するテーブルであり、具体的には、「平常日」および「繁忙日」について、各レジスタ２０における各時間帯ごと（例えば、「１０：３０」から「２１：００」までの３０分ごと）の貨幣の収支の平均および加算回数を記憶している。
【００５２】
売場資金予測テーブル１３ｃは、売場資金履歴テーブル１３ｂをもとに作成された各レジスタ２０において所定時間ごとに必要な釣り銭用貨幣の枚数を記憶するテーブルであり、具体的には、図３に示すように、「平常日」および「繁忙日」について、各レジスタにおいて（たとえば、レジＮＯ．１０１）、「時間帯」ごとに（「１０：３０」から「２１：００」までの「３０分」ごとの時間帯）必要な貨幣種別および貨幣枚数を記憶している。
【００５３】
制御部１４は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、機能概念的に、売場資金在高取得部１４ａと、売場資金予測部１４ｂと、報知制御部１４ｃと、補充依頼通知部１４ｄと、回収依頼通知部１４ｅと、日報作成部１４ｆとを備える。
【００５４】
このうち、売場資金在高取得部１４ａは、売場資金の在高を取得する処理部であり、具体的には、精算処理部２５ｃによって商品の精算処理がおこなわれる度に、レジスタ２０に収納された貨幣の在高を取得し、また、両替補充機４０、売上金入金機５０および置金庫３０からもそれぞれの貨幣の在高を随時取得する。このようにして取得された売場資金の在高は、売場資金管理テーブル１３ａに更新されることとなる。
【００５５】
売場資金予測部１４ｂは、売場資金予測テーブル１３ｃに基づいて各レジスタ２０において所定時間（顧客が集中する繁忙時間帯や、通常の客入である平常時間帯）ごとに必要な釣り銭用貨幣の在高を予測する処理部である。
【００５６】
このように、所定時間ごとに必要な釣り銭用貨幣の在高を予測することで、顧客が集中する繁忙時間帯や、平常期時間帯によって変化する客入状況の動向を考慮に入れて必要な釣り銭用貨幣の在高を予測することができるようにし、また、必要な釣り銭用貨幣の在高を各レジスタ２０ごとに予測することで、個々のレジごとの顧客利用頻度の格差を考慮に入れて必要な釣り銭用貨幣の在高を予測することができるようにしている。さらに、これに関連して、かかる「予測期間」の起点を「精算処理がおこなわれた時点」に設定すれば、レジスタ内に収納された貨幣の変化にリアルタイムに追従して必要な釣り銭用貨幣の在高を予測することができ、「監視」に重点を置いた予測をおこなうことが可能になる。
【００５７】
たとえば、「平常日」の「１１：５０」の時点においてレジスタ２０−１（たとえば、「レジＮＯ．１０１」とする。）の精算処理部２５ｃで商品の精算処理がおこなわれた場合に、「１１：５０」から「１３：００」までの平常時間帯について必要な釣り銭用貨幣の在高を予測するケースについて説明する。
【００５８】
これを具体的に説明すると、売場資金予測テーブル１３ｃ（図３参照）を参照して、各貨幣種別の「１１：３０」から「１２：３０」までの「枚数」をそれぞれ累計し、該累計された「枚数」が各貨幣種別ごとの必要な釣り銭用貨幣の「枚数」として予測される。尚、各金種毎の枚数は正の数が所定時間における必要枚数を示し、負の数は所定時間における余剰枚数を示している。この例では、万券「−１枚」、五千円札「４枚」、二千円札「４枚」、千円札「１２枚」、五百円玉「１９枚」、百円玉「３６枚」、五十円玉「５枚」、十円玉「５０枚」、五円玉「１３枚」、一円玉「３２枚」が必要な釣り銭用貨幣の在高（ｂ）と予測されることとなる。
【００５９】
そして、報知制御部１４ｃは、売場資金在高取得部１４ａによって取得されたレジスタ内の貨幣の在高（ａ）が売場資金予測部１４ｂによって予測された必要な釣り銭用貨幣の在高（ｂ）に満たない場合に、当該レジスタに対して補充を又は両替を要する旨を報知するように制御する処理部である。たとえば、レジスタ２０−１内の貨幣の在高（ａ）を、万券「３枚」、五千円札「５枚」、二千円札「８枚」、千円札「８枚」、五百円玉「２０枚」、百円玉「１４枚」、五十円玉「８枚」、十円玉「６０枚」、五円玉「２０枚」、一円玉「４０枚」とした時、レジスタ２０−１内の千円札は「８枚」であるため、必要な千円札の枚数「１２枚」に満たず、同様に、百円玉も「１４枚」であるため、必要な百円玉の枚数「３６枚」に満たないので、レジスタ２０−１の表示部２３で補充又は両替を要する旨のマーキングやメッセージの表示をおこなうように制御する。
【００６０】
このように、顧客が集中する繁忙時間帯や、平常時間帯によって変化する客入状況の動向、並びに個々のレジごとの顧客利用頻度の格差を考慮に入れて、レジスタ内の貨幣の在高が必要な釣り銭用貨幣の在高に満たないレジスタに対して報知をおこなうことにより、店舗内に配設された各レジでの釣り銭不足を低減し、もって精算処理効率を高めることが可能になる。
【００６１】
また、売場資金予測部１４ｂは、売場資金在高取得部１４ａによって取得されたレジスタ２０内の貨幣の在高と、レジスタ２０において必要な釣り銭用貨幣の在高とをもとに、レジスタ２０に補充されるべき補充用貨幣の貨幣種別および貨幣枚数を予測する。上記の例で言えば、レジスタ２０−１に補充されるべき補充用貨幣の貨幣種別および貨幣枚数は、必要な釣り銭貨幣の在高（ｂ）からレジスタ２０−１内の貨幣の在高（ａ）を各貨幣種別ごとに差し引くことによって千円札「１０枚（４枚以上であれば良い）」および百円玉「３０枚（２２枚以上であれば良い）」と予測されることとなる。
【００６２】
そして、補充依頼通知部１４ｄは、売場資金予測部１４ｂによって予測された当該レジスタ２０に補充されるべき補充用貨幣の貨幣種別および貨幣枚数と、該レジスタの識別情報とを含む補充依頼情報を両替補充機４０に通知する。上記の例で言えば、レジスタ２０−１に補充されるべき補充用貨幣の貨幣種別および貨幣枚数として、千円札「１０枚」および百円玉「３０枚」、レジスタの識別情報として、「レジＮＯ．１０１」を含む補充依頼情報を両替補充機４０に通知する。
【００６３】
また、売場資金予測部１４ｂにおける「予測期間」を開店時からの一定期間（たとえば、開店時から１３：００までの時間帯）に設定すれば、閉店時において翌日の「運用資金」として残置する釣り銭用貨幣を予測することができ、各レジスタで回収されるべき回収用貨幣の貨幣種別および貨幣枚数を予測することが可能になる。
【００６４】
これを具体的に説明すると、売場資金予測部１４ｂは、売場資金在高取得部１４ａによって取得された各レジスタ２０内の貨幣の在高と、各レジスタ２０において必要な釣り銭用貨幣の在高とをもとに、各レジスタ２０で回収されるべき回収用貨幣の貨幣種別および貨幣枚数を予測する。たとえば、レジスタ２０−１においては、翌日の開店時から「１３：００」までの時間帯に必要な釣り銭用貨幣の在高を翌日の「運用資金」とし、閉店時にレジスタ２０−１内に収納されている貨幣の在高からこの「運用資金」を差し引くことによってレジスタ２０−１で回収されるべき回収用貨幣の貨幣種別および貨幣枚数を予測する。
【００６５】
そして、かかる回収用貨幣の貨幣種別および貨幣枚数の「予測」が店舗内のレジに配設されたすべてのレジスタ２０に対しておこなわれた後、報知制御部１４ｃは、売場資金予測部１４ｂによって予測された回収用貨幣の貨幣種別および貨幣枚数を各レジスタ２０にそれぞれ報知するように制御する。このように、各レジスタで回収されるべき回収用貨幣の貨幣種別および貨幣枚数を各レジスタ２０にそれぞれ報知することで、「運用資金」として多量の貨幣をレジスタ内に収納する必要がなくなり、店舗全体の資金の運用効率を向上させることができる。さらに、これに関連して、各レジスタごとに「運用資金」を予測し、任意時点での「売上金」を早期に確定することで、銀行などの外部機関への入金を迅速かつ効率的におこなうことができ、また、閉店後の労働集約的な作業をなくし、業務効率を向上させることができる。
【００６６】
このとき、回収依頼通知部１４ｅは、売場資金予測部１４ｂによって予測された各レジスタ２０で回収されるべき回収用貨幣の貨幣種別および貨幣枚数と、各レジスタ２０の識別情報とを含む回収依頼情報を売上金入金機５０に通知する。
【００６７】
また、売場資金予測部１４ｂは、売場資金予測テーブル１３ｃに基づいて、レジスタ２０、両替補充機４０、売上金入金機５０および置金庫３０において所定時間ごとに必要な釣り銭用貨幣の在高を予測する。そして、報知制御部１４ｃは、売場資金管理テーブル１３ａによって記憶されたレジスタ２０、両替補充機４０、売上金入金機５０および置金庫３０に収納された貨幣の在高が売場資金予測部１４ｂによって予測された必要な釣り銭用貨幣の在高に満たない場合に、外部調達すべき旨を報知するように制御する。
【００６８】
すなわち、店舗全体として保有している貨幣の在高が一日の営業において店舗全体として保有しているべき釣り銭用貨幣に満たない場合に、外部機関７０に対して資金の調達を依頼すべき旨のメッセージなどを表示部１２で出力するように制御する。このため、店舗内に配設された両替補充機や置金庫内の貨幣を釣り銭用貨幣として利用したとしても、特定金種の釣り銭が不足してしまうという最悪の事態を未然に防止することが可能になる。
【００６９】
また、日報作成部１４ｆは、売場資金管理テーブル１３ａによって記憶されたレジスタ２０、両替補充機４０、売上金入金機５０および置金庫３０に収納された貨幣の在高に基づいて図４に示すような「日報」を作成する。このように、レジスタから引き上げられ、売上金入金機に入金された資金を管理することにより、各レジごとの貨幣（現金）の流れを明瞭に把握した店舗全体の「日報」を作成することが可能になる。
【００７０】
両替補充機４０は、各レジスタで釣り銭用貨幣が不足する場合に貨幣の両替または補充を行う現金処理機であり、たとえば、両替の場合、レジ係員がレジスタ内の一万円札を持って両替補充機４０の場所まで赴き、１００円硬貨に両替してレジに戻り、レジスタ内にかかる１００円硬貨を補充することになる。また、レジスタ内に両替をする貨幣がないような場合には、両替補充機から補充用の釣り銭用貨幣を払い出し、この釣り銭用貨幣をレジスタ内に補充する。
【００７１】
ここで、両替補充機４０における制御部４２は、両替補充機４０の全体制御をおこなう処理部であり、機能概念的に、補充依頼情報保持部４２ａと、投出制御部４２ｂとを備える。このうち、補充依頼情報保持部４２ａは、補充依頼通知部１４ｄによってＩ／Ｆ１５、回線２およびＩ／Ｆ４４を介して通知されたレジスタ２０に補充されるべき補充用貨幣の貨幣種別および貨幣枚数と、該レジスタの識別情報とを含む補充依頼情報を保持する保持手段である。上記の例で言えば、レジスタ２０−１に補充されるべき補充用貨幣の貨幣種別および貨幣枚数として、千円札「１０枚」および百円玉「３０枚」、レジスタの識別情報として、「レジＮＯ．１０１」を含む補充依頼情報を保持する。
【００７２】
投出制御部４２ｂは、補充依頼情報保持部４２ａによって保持されたレジスタの識別情報と一致するレジスタの識別情報をレジ係員から受け付けた場合に、補充依頼情報に基づいて補充用貨幣を投出するように制御する処理部である。上記の例で言えば、レジ係員から「ＩＤカード」を介してレジスタの識別情報を受け付けた際に、カード読込部４１によって「ＩＤカード」から読み込まれたレジスタの識別情報と、補充依頼情報保持部４２ａによって保持されたレジスタの識別情報「レジＮＯ．１０１」とが一致する場合に、補充用貨幣として、千円札「１０枚」および百円玉「３０枚」を釣り銭用貨幣投出口４３から投出するように制御する。また、両替の場合には両替元となる貨幣を両替用貨幣入金口４５へ入金することになる。
【００７３】
このように、当該レジスタに補充されるべき補充用貨幣の貨幣種別および貨幣枚数と、該レジスタの識別情報とを含む補充依頼情報を両替補充機に通知し、通知されたレジスタの識別情報と一致するレジスタの識別情報を所定の操作者から受け付けた場合に、補充依頼情報に基づいて補充用貨幣を投出するように制御することとしたので、釣り銭用貨幣の取得効率を高めることができ、釣り銭用貨幣の補充所要時間、補充誤りおよび両替誤りを低減し、もって精算処理効率を高めることが可能になる。
【００７４】
売上金入金機５０は、各レジでの売上を入金するための現金処理機であり、たとえば、店舗が閉店する場合には、レジ係員が翌日の釣り銭用貨幣を除いたレジスタ内部の現金を持って売上金入金機の場所まで赴き、その現金を売上金として売上金入金機に入金することになる。
【００７５】
ここで、売上金入金機５０における制御部５２は、売上金入金機５０の全体制御をおこなう処理部であり、機能概念的に、回収依頼情報保持部５２ａと、入金受付部５２ｂとを備える。このうち、回収依頼情報保持部５２ａは、回収依頼通知部１４ｅによってＩ／Ｆ１５、回線２およびＩ／Ｆ５４を介して通知された各レジスタ２０で回収されるべき回収用貨幣の貨幣種別および貨幣枚数と、各レジスタ２０の識別情報とを含む回収依頼情報を保持する保持手段である。
【００７６】
入金受付部５２ｂは、回収依頼情報保持部５２ａによって保持されたレジスタの識別情報と一致するレジスタの識別情報をレジ係員から受け付けた場合に、回収依頼情報に基づいて回収用貨幣の入金を受け付ける処理部である。具体的には、レジ係員から「ＩＤカード」を介してレジスタの識別情報を受け付けた際に、カード読込部５１によって「ＩＤカード」から読み込まれたレジスタの識別情報と、回収依頼情報保持部５２ａによって保持されたレジスタの識別情報とが一致する場合に、回収依頼情報に基づいて回収用貨幣の入金を紙幣・硬貨挿入口５３から受け付ける。
【００７７】
このように、各レジスタで回収されるべき回収用貨幣の貨幣種別および貨幣枚数と、各レジスタの識別情報とを含む回収依頼情報を売上金入金機に通知し、通知されたレジスタの識別情報と一致するレジスタの識別情報をレジ係員から受け付けた場合に、回収依頼情報に基づいて回収用貨幣の入金を受け付けることで、回収用貨幣の入金効率を高めることができるようにしている。具体的に説明すると、回収用貨幣の回収金額をキー入力したり、売上金入金機５０による計数結果を確認して承認操作を行うといったことが不要となり、回収用貨幣の入金効率が高まることになる。
【００７８】
（各種処理の手順）
次に、本実施例１に係る資金管理システムの各種処理の手順を説明する。なお、ここでは、本実施例１に係る資金管理システムにおける基本制御手順を説明した後に、主たる特徴である「報知制御処理」の手順について説明する。
【００７９】
［基本制御手順］
まず、本実施例１に係る資金管理システムにおける基本制御手順を説明する。図５は、本実施例１に係る資金管理システムにおける基本制御手順を示すフローチャートである。同図に示すように、「開店時」では、商品の精算処理がおこなわれる度に、レジスタ２０に収納された貨幣の在高を取得し（ステップＳ５０１）、また、釣り銭用貨幣の補充がおこなわれる度に、両替補充機４０からも貨幣の在高を逐次取得する（ステップＳ５０２）。このようにして取得された売場資金の在高は、売場資金管理テーブル１３ａに更新されることとなる。なお、詳細は後述するが、「開店時」から「閉店時」まで、常時、「報知制御処理」がおこなわれることとなる。
【００８０】
そして、「１３：００頃」では、銀行などの外部機関７０に入金される「売上金」や、外部調達を要する「運用資金」（釣り銭用貨幣）を算出する（ステップＳ５０３）。たとえば、レジスタ２０−１においては、「１６：００」から閉店までの時間帯に必要な釣り銭用貨幣の在高を本日のレジスタ２０−１おける「運用資金」とし、現時点でレジスタ２０−１内に収納されている貨幣の在高からこの本日のレジスタ２０−１における「運用資金」を差し引くことによってレジスタ２０−１で回収されるべき「売上金」の貨幣種別および貨幣枚数を予測する。なお、かかる「売上金」の貨幣種別および貨幣枚数の「予測」が店舗内のレジに配設されたすべてのレジスタ２０に対しておこなわれる。
【００８１】
また、店舗全体として現時点で保有している貨幣の在高が本日の営業において店舗全体として保有しているべき「運用資金」に満たない場合に、本日の営業において店舗全体として保有しているべき「運用資金」から店舗全体として現時点で保有している貨幣の在高を差し引いた金額を外部調達すべき資金として予測し、外部機関７０に対して資金の調達を依頼すべき旨のメッセージとともに外部調達すべき資金を表示部１２で出力する。
【００８２】
続いて、各レジスタで回収された「売上金」を外部機関７０に入金するとともに、外部機関７０から「運用資金」（外部調達すべき資金）を受け取る（ステップＳ５０４）。
【００８３】
そして、「１６：００頃」では、「繁忙期時間帯」を迎えるにあたって、各レジスタ２０での釣り銭用貨幣の補充を回避して営業をおこなうことができるように、各レジスタ２０における「１６：００」から閉店までの時間帯に必要な「運用資金」を補充する（ステップＳ５０５〜Ｓ５０７）。
【００８４】
その後、「閉店時」では、翌日の「運用資金」として残置する釣り銭用貨幣を予測し、各レジスタ２０で回収されるべき「売上金」の貨幣種別および貨幣枚数を予測する（ステップＳ５０８）。具体的には、各レジスタ２０内の貨幣の在高と、各レジスタ２０において必要な釣り銭用貨幣の在高とをもとに、各レジスタ２０で回収されるべき「売上金」の貨幣種別および貨幣枚数を予測する。
【００８５】
たとえば、レジスタ２０−１においては、翌日の開店時から「１３：００」までの時間帯に必要な釣り銭用貨幣の在高を翌日のレジスタ２０−１における「運用資金」とし、閉店時にレジスタ２０−１内に収納されている貨幣の在高からこの「運用資金」を差し引くことによってレジスタ２０−１で回収されるべき回収用貨幣の貨幣種別および貨幣枚数を予測する。
【００８６】
そして、かかる回収用貨幣の貨幣種別および貨幣枚数の「予測」が店舗内のレジに配設されたすべてのレジスタ２０に対しておこなわれ、各レジスタ２０で回収されるべき「売上金」の貨幣種別および貨幣枚数が各レジスタ２０に報知される（ステップＳ５０９）。
【００８７】
その後、各レジスタ２０で回収されるべき「売上金」の貨幣種別および貨幣枚数に基づいて各レジのレジ係員によって売上金入金機５０に「売上金」の入金がなされ（ステップＳ５１０）、これらの取引を売場資金管理テーブル１３ａに逐次更新する（ステップＳ５１１）。
【００８８】
最後に、売場資金管理テーブル１３ａによって記憶されたレジスタ２０、両替補充機４０、売上金入金機５０および置金庫３０に収納された貨幣の在高に基づいて図４に示すような「日報」を作成する（ステップＳ５１２）。
【００８９】
［報知制御処理］
次に、「報知制御処理」について説明する。この処理は、「開店時」から「閉店時」まで常時おこなわれることとなるが、説明の便宜上、一例として、「平常日」の「１１：５０」の時点においてレジスタ２０−１（たとえば、「レジＮＯ．１０１」とする。）の精算処理部２５ｃで商品の精算処理がおこなわれたケースについて説明する。
【００９０】
図６は、報知制御処理の手順を示すフローチャートである。同図に示すように、売場資金在高取得部１４ａは、レジスタ２０−１における精算処理部２５ｃによって商品の精算処理がおこなわれたことを受けて（ステップＳ６０１肯定）、レジスタ２０−１に収納された貨幣の在高（ａ）を取得する（ステップＳ６０２）。
【００９１】
そして、売場資金予測部１４ｂは、「１１：５０」から「１３：００」までの平常時間帯について必要な釣り銭用貨幣の在高を予測する（ステップＳ６０３）。具体的には、売場資金予測テーブル１３ｃ（図３参照）を参照して、各貨幣種別の「１１：３０」から「１２：３０」までの「枚数」をそれぞれ累計し、該累計された「枚数」が各貨幣種別ごとの必要な釣り銭用貨幣の「枚数」として予測される。この例では、万券「−１枚」、五千円札「４枚」、二千円札「４枚」、千円札「１２枚」、五百円玉「１９枚」、百円玉「３６枚」、五十円玉「５枚」、十円玉「５０枚」、五円玉「１３枚」、一円玉「３２枚」が必要な釣り銭用貨幣の在高（ｂ）と予測されることとなる。
【００９２】
ここで、レジスタ内の貨幣の在高（ａ）が必要な釣り銭用貨幣の在高（ｂ）を満たす（ａ＞ｂ）場合（ステップＳ６０４否定）には、報知制御部１４ｃは、補充が不要である旨をレジスタ２０−１の表示部２３に出力するように制御する（ステップＳ６０５）。
【００９３】
一方、レジスタ内の貨幣の在高（ａ）が必要な釣り銭用貨幣の在高（ｂ）に満たない（ｂ＞ａ）場合（ステップＳ６０４肯定）には、報知制御部１４ｃは、当該レジスタ２０−１に対して補充を要する旨を報知するように制御する（ステップＳ６０６）。
【００９４】
これを具体的に説明すると、レジスタ２０−１内の貨幣の在高（ａ）を、万券「３枚」、五千円札「５枚」、二千円札「８枚」、千円札「８枚」、五百円玉「２０枚」、百円玉「１４枚」、五十円玉「８枚」、十円玉「６０枚」、五円玉「２０枚」、一円玉「４０枚」とした時、レジスタ２０−１内の千円札は「８枚」であるため、必要な千円札の枚数「１２枚」に満たず、同様に、百円玉も「１４枚」であるため、必要な百円玉の枚数「３６枚」に満たないので、レジスタ２０−１の表示部２３で補充を要する旨のマーキングやメッセージの表示をおこなうように制御する。
【００９５】
そして、売場資金予測部１４ｂは、レジスタ２０−１に補充されるべき補充用貨幣の貨幣種別および貨幣枚数を、必要な釣り銭貨幣の在高（ｂ）からレジスタ２０−１内の貨幣の在高（ａ）を各貨幣種別ごとに差し引くことによって千円札「１０枚（４枚以上であれば良い）」および百円玉「３０枚（２２枚以上であれば良い）」と予測し、補充依頼通知部１４ｄは、レジスタ２０−１に補充されるべき補充用貨幣の貨幣種別および貨幣枚数として、千円札「１０枚」および百円玉「３０枚」、レジスタの識別情報として、「レジＮＯ．１０１」を含む補充依頼情報を両替補充機４０に送信する（ステップＳ６０７）。
【００９６】
その後、両替補充機４０では、レジ係員から「ＩＤカード」を介してレジスタの識別情報を受け付けた際に、カード読込部４１によって「ＩＤカード」から読み込まれたレジスタの識別情報と、補充依頼情報保持部４２ａによって保持されたレジスタの識別情報「レジＮＯ．１０１」とが一致する場合に、補充用貨幣として、千円札「１０枚」および百円玉「３０枚」を釣り銭用貨幣投出口４３から投出することとなる。
【００９７】
上述してきたように、本実施例１に係る資金管理システムによれば、店舗内に配設された各レジでの釣り銭不足並びに釣り銭用貨幣の補充所要時間、補充誤りおよび両替誤りを低減し、もって精算処理効率を高めることが可能になる。
【実施例２】
【００９８】
さて、これまで本発明の実施例１について説明したが、本発明は上述した実施例１以外にも、上記特許請求の範囲に記載した技術的思想の範囲内において種々の異なる実施例にて実施されてもよいものである。
【００９９】
たとえば、本実施例１では、一店舗を対象とした資金管理システムを説明したが、本発明はこれに限定されるものではなく、複数の店舗の売場資金管理テーブル１３ａに記憶された管理データを情報処理センタ等で統括するようにしても良い。すなわち、これによって、複数の店舗を経営する企業においても資金状況を正確に把握することができる。さらに、これに関連して、複数の店舗の売場資金管理テーブル１３ａに記憶された管理データを情報処理センタ等で統括するシステムを構築することで、アプリケーションサービスを提供することが可能になる。
【０１００】
また、本発明では、ＰＯＳサーバ（ストア・コントローラ）６０と接続することにより、ＰＯＳサーバ６０によって商品コードをもとに管理された「売上金」と、本発明に係る資金管理システムによって管理された「売上金」とを照査することができ、レジごとの売上誤差を自動的に算出することが可能になる。
【０１０１】
また、本実施例１では、管理装置１０およびレジスタ２０を接続する回線２と、ＰＯＳサーバ（ストア・コントローラ）６０およびレジスタ２０を接続する回線３とを別々に設ける場合の実施例について説明したが、本発明はこれに限定されるものではなく、回線２および回線３を一つの回線で共有化するようにしても良い。
【０１０２】
また、本実施例１では、両替補充機４０および売上金入金機５０を個々に設置する場合の実施例について説明したが、本発明はこれに限定されるものではなく、両替補充機４０および売上金入金機５０を一体型の現金処理機で構成するようにしても良い。すなわち、これによって、店舗スペースの効率化を図りつつ、両替または補充、並びに回収を一箇所で集約しておこなうことが可能になる。
【０１０３】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１０４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１０５】
以上のように、本発明に係る資金管理システム、資金管理方法および資金管理プログラムは、商品の精算処理をおこなうレジに配設されたレジスタと、該レジスタ内に収納された貨幣の在高を管理する管理装置とを備えた資金管理システム、資金管理方法および資金管理プログラムに有用であり、特に、店舗内に配設された各レジでの釣り銭不足並びに釣り銭用貨幣の補充所要時間および補充誤りを低減し、もって精算処理効率を高めることができる資金管理システム、資金管理方法および資金管理プログラムに適している。
【図面の簡単な説明】
【０１０６】
【図１】本実施例１に係る資金管理システムの概略構成を示す図である。
【図２】本実施例１に係る資金管理システムの構成を示すブロック図である。
【図３】売場資金予測テーブルの情報の構成例を示す図である。
【図４】日報作成部による日報の作成例を示す図である。
【図５】本実施例１に係る資金管理システムの基本制御手順を示すフローチャートである。
【図６】報知制御処理の手順を示すフローチャートである。
【符号の説明】
【０１０７】
１    資金管理システム
２、３  回線
１０    管理装置
１１    入力部
１２    表示部
１３    記憶部
１３ａ  売場資金管理テーブル
１３ｂ  売場資金履歴テーブル
１３ｃ  売場資金予測テーブル
１４    制御部
１４ａ  売場資金在高取得部
１４ｂ  売場資金予測部
１４ｃ  報知制御部
１４ｄ  補充依頼通知部
１４ｅ  回収依頼通知部
１４ｆ  日報作成部
１５、２８、４４、５４  Ｉ／Ｆ
２０    レジスタ
２１    バーコードリーダ
２２    入力部
２３    表示部
２４    印字部
２５    制御部
２５ａ  バーコード情報送信部
２５ｂ  レジスタ内在高送信部
２５ｃ  精算処理部
２６    紙幣処理機
２７    硬貨処理機
４０    両替補充機
４１    カード読込部
４２    制御部
４２ａ  補充依頼情報保持部
４２ｂ  投出制御部
４３    釣り銭用貨幣投出口
４５    両替用貨幣入金口
５０    売上金入金機
５１    カード読込部
５２    制御部
５２ａ  回収依頼情報保持部
５２ｂ  入金受付部
５３    紙幣・硬貨挿入口
６０    ＰＯＳサーバ（ストア・コントローラ）
【図１】
2005267262.tif 000003
【図２】
2005267262.tif 000004
【図３】
2005267262.tif 000005
【図４】
2005267262.tif 000006
【図５】
2005267262.tif 000007
【図６】
2005267262.tif 000008